(57)【要約】      （修正有）【課題】複数のボタン電池を簡単かつすぐにケース本体から取り出すことが可能な技術を提供する。【解決手段】ケース本体２０に取り付けられる電池カバー２１は、ケース本体２０からボタン電池１０を取り外すための取り外し用治具として機能する。電池カバー２１は、複数のボタン電池１０を収納するケース本体２０と、当該複数のボタン電池１０の側面との間の隙間に挿入される複数の係合爪２１１を有しており、当該複数の係合爪を利用して、複数のボタン電池１０をケース本体２０から同時に取り外すことが可能である。【選択図】図１４
2009259666.tif 000002
【特許請求の範囲】
【請求項１】
複数のボタン電池を収納するケース本体と、
前記複数のボタン電池のうち少なくとも二つのボタン電池の側面と前記ケース本体との隙間に挿入される部分を有し、当該部分を利用して当該少なくとも二つのボタン電池を前記ケース本体から同時に取り外すことが可能な取り外し用治具と
を備える、ボタン電池の取り外し構造。
【請求項２】
請求項１に記載のボタン電池の取り外し構造であって、
前記取り外し用治具は、前記ケース本体に取り付けられる電池カバーを兼用している、ボタン電池の取り外し構造。
【請求項３】
請求項１及び請求項２のいずれか一つに記載のボタン電池の取り外し構造と、
前記ケース本体に収納された前記複数のボタン電池と
を備える、電子機器。
【請求項４】
複数のボタン電池を収納するケース本体と、当該複数のボタン電池のうち少なくとも二つのボタン電池の側面との隙間に挿入される部分を有し、当該部分を利用して当該少なくとも二つのボタン電池を前記ケース本体から同時に取り外すことが可能なボタン電池の取り外し用治具。
【発明の詳細な説明】
【技術分野】
【０００１】
本発明は、ボタン電池の取り外し構造と、当該取り外し構造を備える電子機器と、ボタン電池の取り外し用治具とに関する。
【背景技術】
【０００２】
特許文献１にも記載されているように、電子機器から電池を取り外すための方法が従来から提案されている。また、特許文献２には、電池の収納構造に関する技術が開示されている。
【０００３】
【特許文献１】特開２００３−３１１９５号公報
【特許文献２】特開平９−１１５４９６号公報
【発明の開示】
【発明が解決しようとする課題】
【０００４】
さて、電池で駆動する電子機器によっては複数のボタン電池が使用されることがある。このような電子機器に対して電池交換を行う際には、複数のボタン電池をケース本体から取り外す必要があるため、手間を要することになる。
【０００５】
そこで、本発明は上記の点に鑑みて成されたものであり、複数のボタン電池を簡単かつすぐにケース本体から取り出すことが可能な技術を提供することを目的とする。
【課題を解決するための手段】
【０００６】
上記課題を解決するため、請求項１の発明は、ボタン電池の取り外し構造であって、複数のボタン電池を収納するケース本体と、前記複数のボタン電池のうち少なくとも二つのボタン電池の側面と前記ケース本体との隙間に挿入される部分を有し、当該部分を利用して当該少なくとも二つのボタン電池を前記ケース本体から同時に取り外すことが可能な取り外し用治具とを備える。
【０００７】
また、請求項２の発明は、請求項１に記載のボタン電池の取り外し構造であって、前記取り外し用治具は、前記ケース本体に取り付けられる電池カバーを兼用している。
【０００８】
また、請求項３の発明は、電子機器であって、請求項１及び請求項２のいずれか一つに記載のボタン電池の取り外し構造と、前記ケース本体に収納された前記複数のボタン電池とを備える。
【０００９】
また、請求項４の発明は、ボタン電池の取り外し用治具であって、複数のボタン電池を収納するケース本体と、当該複数のボタン電池のうち少なくとも二つのボタン電池の側面との隙間に挿入される部分を有し、当該部分を利用して当該少なくとも二つのボタン電池を前記ケース本体から同時に取り外すことが可能である。
【００１０】
本発明のボタン電池には、比較的小さく厚みが大きい狭義のボタン電池だけではなく、比較的大きく厚みが小さいコイン電池も含まれる。
【発明の効果】
【００１１】
請求項１及び請求項４の発明によれば、取り外し用治具は、ケース本体と、それに収納される複数のボタン電池のうちの少なくとも二つのボタン電池との間の隙間に挿入される部分を有し、当該部分を利用することによって、当該少なくとも二つのボタン電池を同時にケース本体から取り外すことができる。したがって、ケース本体から複数のボタン電池を簡単かつすぐに取り外すことができる。
【００１２】
また、請求項２の発明によれば、取り外し用治具が電池カバーを兼用しているため、電池カバーとは別に取り外し用治具を設ける必要が無い。よって、本発明に係るボタン電池の取り外し構造を簡素化できる。
【００１３】
また、請求項３の発明によれば、複数のボタン電池で動作する電子機器の電池交換を簡単かつすぐに行うことができる。
【発明を実施するための最良の形態】
【００１４】
図１は本発明の実施の形態に係る電子機器１を前面側から示す斜視図である。本実施の形態に係る電子機器１は、例えば、食品等の物品の製造工場などで使用される表示器であって、物品の製造における作業指示等を表示する。本実施の形態に係る電子機器１は、外部装置と通信を行うことによってその表示内容を書き換えることができる。
【００１５】
図１に示されるＸ軸方向及びＹ軸方向は、電子機器１の表示画面３ａの左右方向及び上下方向に沿った方向をそれぞれ示している。また、Ｙ軸のプラス側に向かう方向は、本電子機器１の表示画面３ａの上側に近づく方向であって、Ｙ軸のマイナス側に向かう方向は、本電子機器１の表示画面３ａの下側に近づく方向である。以後、Ｙ軸のプラス側及びマイナス側をそれぞれ「＋Ｙ側」及び「−Ｙ側」と呼ぶ。
【００１６】
図１に示されるように、本実施の形態に係る電子機器１は、ケース２と、当該ケース２内に収納されたディスプレイ３とを備えている。ケース２は、前面側の第１ケース本体２０ａと、背面側の第２ケース本体２０ｂとが組み合わされて構成されたケース本体２０を有している。
【００１７】
ディスプレイ３は、その表示画面３ａが前面側の第１ケース本体２０ａに設けられた開口部分から露出するようにケース本体２０内に収納されている。ディスプレイ３は、ドットマトリクス方式の不揮発性表示部であって、例えば電子ペーパで構成されている。電子ペーパ等の不揮発性表示部では、駆動電力を与えることなく表示内容を保持することができる。ディスプレイ３は、ドットマトリクス方式の表示部であるため、文字、記号、図形などの各種情報を表示することができる。
【００１８】
また、本電子機器１の前面には、作業者が当該電子機器１に対して指示を入力するための入力装置４が設けられている。入力装置４は、Ｙ軸方向に沿って並べられた二つの操作ボタン４ａ，４ｂを有している。作業者は、操作ボタン４ａ，４ｂを操作することによって、電子機器１に対して指示を入力する。
【００１９】
さらに、本実施の形態に係る電子機器１は、図示しない制御装置及び通信装置を備えている。制御装置は、ＣＰＵやメモリ等で構成されており、ケース本体２０の内部に設けられている。操作ボタン４ａ，４ｂが操作されると、その操作情報が制御装置に入力される。制御装置は、入力された操作情報に応じて、例えば、ディスプレイ３の表示画面３ａの内容を書き換える。通信装置は、例えば電波方式の無線通信を行い、ケース本体２０内に収納されている。通信装置は制御装置によって制御される。通信装置が、外部からデータを受信すると、そのデータは制御装置に入力される。制御装置は、入力されたデータに応じて、例えばディスプレイ３の表示画面３ａの内容を書き換える。また、制御装置で生成されたデータは、通信装置を介して外部装置に送信される。
【００２０】
本電子機器１のケース本体２０内には、後述する複数のボタン電池１０が設けられており、これらのボタン電池１０から供給される電力によって、ディスプレイ３、通信装置及び制御装置は動作を行うことができる。本実施の形態では、複数のボタン電池１０はケース２から取り出すことが可能であって、本電子機器１は、複数のボタン電池１０を交換できるように構成されている。ここで、本願発明のボタン電池には、比較的小さく厚みが大きい狭義のボタン電池だけではなく、比較的大きく厚みが小さいコイン電池も含まれる。本実施の形態に係るボタン電池１０は、例えばリチウムコイン電池である。
【００２１】
図２は本実施の形態に係る電子機器１を示す背面図である。図３は図２に示される電池カバー２１をケース本体２０から取り外した状態での電子機器１を示す背面図である。図２，３に示されるように、ケース本体２０の背面には、周辺よりもやや外側に突出し、Ｘ軸方向に沿って延在する２つの突起部２００が設けられている、二つの突起部２００は、背面側の第２ケース本体２０ｂと一体形成されており、ケース本体２０の背面のＹ軸方向における両端部にそれぞれ設けられている。各突起部２００内には、本電子機器１を所定箇所に取り付けるための複数のネジ穴２００ａが外側に向かって開口するように設けられている。各突起部２００では、複数のネジ穴２００ａがＸ軸方向に沿って所定間隔で配置されている。
【００２２】
また、ケース本体２０の背面では、図３に示されるように、電池カバー２１で覆われる領域２０１（以後、「カバー取り付け領域２０１」と呼ぶ）が、周辺よりも電池カバー２１の厚みの分だけ少し凹んでいる。したがって、電池カバー２１を背面側の第２ケース本体２０ｂに取り付けた際に、電池カバー２１とその周辺との間に段差が発生することを抑制することができる。
【００２３】
本実施の形態では、例えば４つのボタン電池１０がケース本体２０内に収納される。電池カバー２１は、４つのボタン電池１０を覆うカバー本体２１０と、電池カバー２１をケース本体２０に固定するためのロック部２２０とを有している。ケース本体２０の背面には、カバー取り付け領域２０１における＋Ｙ側の端部と隣接して、電池カバー２１のロック部２２０が挿入される第１のロック用係合穴２０２が設けられている。第１のロック用係合穴２０２によって露出するケース本体２０の内側面には、第１のロック用係合穴２０２と連通する第２のロック用係合穴２０５が設けられている。この第２のロック用係合穴２０５には、ロック部２２０に設けられた後述の突起部２２５が挿入される。第１のロック用係合穴２０５の深さ方向はケース本体２０の厚み方向となっており、第２のロック用係合穴２０５の深さ方向は、第１のロック用係合穴２０５の深さ方向に垂直であって、かつＹ軸方向に沿った方向となっている。
【００２４】
また、ケース本体２０の背面では、カバー取り付け領域２０１を除く、第１のロック用係合穴２０２の周辺領域２０３が少し凹んでいる。ロック部２２０には、電池カバー２１をケース本体２０から取り外す際に操作される操作片２２１が設けられており、電池カバー２１が第２ケース本体２０ｂに取り付けられた状態では、操作片２２１が、少し凹んだ周辺領域２０３上に位置するようになる。その結果、操作片２２１が、ケース本体２０の表面から突出することが無い。
【００２５】
ケース本体２０内には、カバー取り付け領域２０１に向かって開口し、４つのボタン電池１０をそれぞれ収納する４つの電池収納部１５が設けられている。これらの電池収納部１５はＸ軸方向に沿って並んでいる。ボタン電池１０は、扁平な略円柱形状を成しており、第１主面１１と、それとは反対側の第２主面１２（後述の図６で図示）とを備えている。図３に示されるように、ボタン電池１０は、第１主面１１がケース本体２０から露出するように電池収納部１５に収納される。ボタン電池１０の第２主面１２では、周端部を除く部分がやや盛り上がっており、当該部分がマイナス電極となっている。そして、ボタン電池１０では、第１主面１１と、側面１３と、第２主面１２の周端部とがプラス電極となっている。カバー取り付け領域２０１における−Ｙ側の端部には、各電池収納部１５の近傍に、電池カバー２１に設けられた後述の係合爪２１１が挿入される取り付け用係合穴２０６が設けられている。
【００２６】
また、ケース本体２０内には、カバー取り付け領域２０１に向かって開口し、電池カバー２１に設けられた後述の４つの突起部２１４がそれぞれ挿入される４つの挿入部１６が設けられている。４つの挿入部１６は、４つの電池収納部１５と一対一で対応しており、各挿入部１６は、それに対応する電池収納部１５に対して＋Ｙ側に位置しており、当該電池収納部１５と繋がっている。この挿入部１６の存在により、電池収納部１５に挿入されたボタン電池１０の側面１３と、ケース本体２０との間には隙間が生じるようになる。
【００２７】
＜ケース本体とその内部の詳細構造＞
次に、ケース本体２０とその内部の構造について詳細に説明する。図４，５はそれぞれ本電子機器１を拡大して背面側から示す斜視図及び平面図である。図６は図５に示される構造の矢視Ａ−Ａにおける断面を示す図である。図４，５では、ケース本体２０の内部構造が理解しやすいように、電池カバー２１を取り外した状態の本電子機器１を示している。また図４では、ボタン電池１０を収納していない状態の本電子機器１を示している。また図６では、プラス電極端子３１及びボタン電池１０の断面構造が本来示されるべきだが、プラス電極端子３１とボタン電池１０との配置関係が明確となるように、これらの要素については側面図として示している。
【００２８】
図６に示されるように、前面側の第１ケース本体２０ａ内には、制御部などを構成する各種電子部品が搭載されているプリント基板３０が配置されている。プリント基板３０上には、ボタン電池１０の側面１３（プラス電極）と接触するプラス電極端子３１と、ボタン電池１０の第２主面１２における周端部１２ｂを除く部分１２ａ（マイナス電極）と接触するマイナス電極端子３２とが実装されている。ボタン電池１０の第２主面１２では、周端部１２ｂを除く部分１２ａが周端部１２ｂよりもやや盛り上がっており、当該部分１２ａと周端部１２ｂとの境界に段差が発生している。
【００２９】
ケース本体２０の背面には、当該背面に向かって開口する電池収納部１５によって略円形の開口２８が形成されている。ケース本体２０の背面側から見ると、マイナス電極端子３２は開口２８のほぼ中央に位置しており、プラス電極端子３１は、Ｙ軸方向で互いに隣り合う開口２８と取り付け用係合穴２０６との間に位置している。背面側の第２ケース本体２０ｂには、開口２８の周縁からプリント基板３０に向かって当該プリント基板３０に対して垂直に延びる隔壁３５が一体形成されている。この隔壁３５は、ケース本体２０の背面側から見ると、図５に示されるように、開口２８の周縁に沿うように形成されている。隔壁３５は、平面視上においてマイナス電極端子３２を間に挟んでＸ軸方向で対向配置された隔壁３５０，３５１で構成されている。隔壁３５０は、平面視上で、開口２８の周縁の一方側の半分に沿って延在し、隔壁３５１は、平面視上で、開口２８の周縁の他方側の半分に沿って延在している。
【００３０】
また、ケース本体２０の背面には、当該背面に向かって開口する挿入部１６によって開口２９が形成されている。開口２９は、それとＹ軸方向で隣り合う開口２８と繋がっており、当該開口２９の周縁は、当該開口２８の周縁から＋Ｙ側に突出した円弧となっている。背面側の第２ケース本体２０ｂには、開口２９の周縁からプリント基板３０に向かって延びる隔壁３６が一体形成されている。この隔壁３６は、ケース本体２０の背面側から見ると、開口２９の周縁に沿うように形成されており、当該開口２９と繋がった開口２８の周縁に沿った隔壁３５と繋がっている。これにより、電池収納部１５とそれに繋がる挿入部１６は、隔壁３５，３６で取り囲まれるようになる。隔壁３５は電池収納部１５の周縁を規定し、隔壁３６は挿入部１６の周縁を規定する。
【００３１】
隔壁３６における挿入部１６側の側面３６０は、挿入部１６の入り口側の三つの湾曲面３６１〜３６３と、挿入部１６の奥側の、プリント基板３０に対して垂直な三つの垂直面３６４〜３６６とで構成されている。垂直面３６４〜３６６は平面視上でコ字状に配置されている。垂直面３６４は、隔壁３５０の電池収納部１５側の側面から＋Ｙ側に向かって延び、その先から垂直面３６５がＸ軸方向に沿って延び、その先から垂直面３６６が−Ｙ側に向かって延び、その先が隔壁３５１の電池収納部１５側の側面に繋がっている。
【００３２】
平面視上で、垂直面３６４〜３６６は、開口２９の周縁が成す円弧２９０の内側に位置している。垂直面３６５は、挿入部１６の底部から挿入部１６の入り口に向かって垂直に延び、その先から湾曲面３６２が外側の円弧２９０における中央の約１／３の部分に向かって凹むようにして延び、その先が当該部分に繋がっている。湾曲面３６１は、隔壁３５０の電池収納部１５側の側面とそれに繋がった垂直面３６４とが成す角部４００から、外側の円弧２９０における、隔壁３５０側の端部を含む約１／３の部分に向かって凹むようにして延び、その先が当該部分に繋がっている。湾曲面３６３は、隔壁３５１の電池収納部１５側の側面とそれに繋がった垂直面３６６とが成す角部４０１から、外側の円弧２９０における、隔壁３５１側の端部を含む約１／３の部分に向かって凹むようにして延び、その先が当該部分に繋がっている。
【００３３】
このように、挿入部１６の周縁を規定する隔壁３６の側面３６０は、挿入部１６の奥側ではプリント基板３０に対して垂直を成し、その垂直面から挿入部１６の入り口に向かうほど外側に広がるように湾曲している。したがって、挿入部１６では、奥側よりも入り口側が広くなっている。
【００３４】
挿入部１６の底部の全領域と、電池収納部１５の底部における＋Ｙ側の端部には、ボタン電池１０が部分的に載置される板状の台座部４１０が設けられている。台座部４１０は隔壁３５，３６と一体形成されており、プリント基板３０上に配置されている。
【００３５】
ケース本体２０は、電池収納部１５に収納されたボタン電池１０の第１主面１１における−Ｙ側の端部上に位置し、当該端部に当接する壁部２０４を有している。プラス電極端子３１はこの壁部２０４の下方に配置されている。ケース本体２０内には、第２ケース本体２０ｂの内側の面からプリント基板３０に向かって延びる四角柱状の柱部３７が設けられている。この柱部３７は、第２ケース本体２０ｂと一体形成されており、プラス電極端子３１における、プリント基板３０に半田付けされた部分にまで達しており、当該部分をプリント基板３０側に押さえつけている。
【００３６】
本実施の形態では、プリント基板３０と、台座部４１０と、隔壁３５と、プラス電極端子３１とで囲まれた部分が電池収納部１５となっており、隔壁３６と台座部４１０とで囲まれた部分が挿入部１６となっている。
【００３７】
次に、プラス電極端子３１及びマイナス電極端子３２の構造について詳細に説明する。図７はマイナス電極端子３２の構造を示す斜視図である。図７に示されるように、マイナス電極端子３２は、プリント基板３０に固定される固定部３２０と、ボタン電池１０を第２主面１２側から支持する一対の支持部３２１，３２２とで構成されている。固定部３２０は略長方形の板状部分であって、その長手方向の両端部がプリント基板３０に半田付けされる。
【００３８】
支持部３２１は、固定部３２０における一方の長辺の中央部分から外側の斜め上方に向かって延びており、その先端部分３２１ａは水平となっている。支持部３２１では、中央部分から先端にかけて二股に分かれている。そして、支持部３２１における、二つに分かれた先端部分３２１ａのそれぞれの上面には、ボタン電池１０の第２主面１２と接触する突起部分３２１ｂが設けられている。
【００３９】
同様に、支持部３２２は、固定部３２０における他方の長辺の中央部分から外側の斜め上方に向かって延びており、その先端部分３２２ａは水平となっている。支持部３２２では、中央部分から先端にかけて二股に分かれている。そして、支持部３２２における、二つに分かれた先端部分３２２ａのそれぞれの上面には、ボタン電池１０の第２主面１２と接触する突起部分３２２ｂが設けられている。
【００４０】
このような構造を備えるマイナス電極端子３２では、突起部分３２１ｂ，３２２ｂがボタン電池１０の第２主面１２における周端部１２ｂを除く部分１２ａと接触するように、一対の支持部３２１，３２２がボタン電池１０を第２主面１２側から支持する。電池カバー２１がケース本体２０に取り付けられる際には、後述するように、電池カバー２１に設けられた押圧部２１２が、ボタン電池１０をプリント基板３０側に押圧することから、ボタン電池１０は、マイナス電極端子３２をプリント基板３０側に押さえつけるようになる。その結果、マイナス電極端子３２では、支持部３２１と固定部３２０との境界の屈曲部分と、支持部３２２と固定部３２０との境界の屈曲部分とが弾性変形するとともに、支持部３２１における、水平の先端部分３２１ａとそれに繋がる傾斜部分との境界の屈曲部分と、支持部３２２における、水平の先端部分３２２ａとそれに繋がる傾斜部分との境界の屈曲部分とが弾性変形して、マイナス電極端子３２の上面全体の形状が平面に近づくようになる。
【００４１】
図８はプラス電極端子３１の構造を示す斜視図であって、図９はプラス電極端子３１をプリント基板３０に実装した様子を示す側面図である。図８，９に示されるように、プラス電極端子３１は、プリント基板３０に固定される固定部３１０と、当該固定部３１０に繋がった一対の腕部３１１，３１２とを備えている。
【００４２】
固定部３１０は、Ｌ字に曲げられた板状部分であって、水平部分３１０ａと、当該水平部分３１０ａの端部から立ち上がる立ち上がり部分３１０ｂとで構成されている。固定部３１０では、水平部分３１０ａがプリント基板３０に半田付けされる。また上述のケース本体２０内に設けられた柱部３７は、固定部３１０の水平部分３１０ａと当接している。
【００４３】
板状の腕部３１１は、固定部３１０の立ち上がり部分３１０ｂにおける横方向の一方の端部から、水平部分３１０ａから離れるように斜め外方向に向かって立ち上がり部分３１０ｂと鈍角を成して延びている。腕部３１１の先端部には、当該腕部３１１を支持するＬ字型の脚部３１３が繋がっている。腕部３１１の内側の表面には、その中央部よりもやや先端よりに、ボタン電池１０の側面１３と接触する突起部分３１１ａが設けられている。
【００４４】
同様に、板状の腕部３１２は、固定部３１０の立ち上がり部分３１０ｂにおける横方向の他方の端部から、水平部分３１０ａから離れるように斜め外方向に向かって立ち上がり部分３１０ｂと鈍角を成して延びている。腕部３１２の先端部には、当該腕部３１２を支持するＬ字型の脚部３１４が繋がっている。腕部３１２の内側の表面には、その中央部よりもやや先端よりに、ボタン電池１０の側面１３と接触する突起部分３１２ａが設けられている。
【００４５】
図９に示されるように、固定部３１０では、水平部分３１０ａと立ち上がり部分３１０ｂとの成す角度θが９０°よりもやや大きく設定されている。そのため、プラス電極端子３１では、水平部分３１０ａがプリント基板３０に半田付けされると、腕部３１１，３１２及び脚部３１３，３１４が若干マイナス電極端子３２側に傾いた状態となる。また、プラス電極端子３１をプリント基板３０に載せると、水平部分３１０ａの底面のみならず、Ｌ字型の脚部３１３，３１４の角部分がプリント基板３０に接触する。したがって、プラス電極端子３１をプリント基板３０に自動実装する際には、脚部３１３，３１４で腕部３１１，３１２をそれぞれ支持することができる。その結果、自動実装時にプラス電極端子３１が倒れることを防止することができる。
【００４６】
ボタン電池１０が電池収納部１５に収納される際には、ボタン電池１０の側面１３が突起部分３１１ａ，３１２ａと当接し、一対の腕部３１１，３１２が後方に押されるようになる。そうすると、立ち上がり部分３１０ｂと腕部３１１，３１２との境界の屈曲部分が弾性変形して、立ち上がり部分３１０ｂと腕部３１１，３１２との成す角度が大きくなるとともに、水平部分３１０ａと立ち上がり部分３１０ｂとの境界の屈曲部分が弾性変形して、水平部分３１０ａと立ち上がり部分３１０ｂとが成す角度θが約９０°となる。これにより、一対の腕部３１１，３１２が、ボタン電池１０の側面１３を挟み込むようになるとともに、ボタン電池１０を隔壁３５に押しつけるようになり、プラス電極端子３１とボタン電池１０との間の接触を十分に確保することができる。
【００４７】
なお、ボタン電池１０の側面１３が突起部分３１１ａ，３１２ａと当接すると、傾いていた腕部３１１，３１２は、脚部３１３，３１４がプリント基板３０から浮くように起き上がる。したがって、ボタン電池１０を電池収納部１５に収納する際に脚部３１３，３１４がプリント基板３０を損傷することは無い。
【００４８】
図１０はボタン電池１０を電池収納部１５に収納する様子を示す図である。図１０に示されるように、ボタン電池１０を電池収納部１５に収納する際には、ボタン電池１０を傾けながら壁部２０４の下方に向けて電池収納部１５内に入れていく。そして、ボタン電池１０の前方の周端部を壁部２０４の下方に潜り込ませて、ボタン電池１０の側面１３をプラス電極端子３１の腕部３１１，３１２に押し当て、立ち上がり部分３１０ｂを起こしながらボタン電池１０の後方の周端部も電池収納部１５に入れて、当該後方の周端部を台座部４１０上に載置する。これにより、ボタン電池１０の電池収納部１５への収納が完了する。
【００４９】
その後、ボタン電池１０に対する外部からの力が解除されると、起こされた立ち上がり部分３１０ｂが若干もとに戻って、プラス電極端子３１の腕部３１１，３１２がボタン電池１０を隔壁３５に押さえつけるようになる。その結果、ボタン電池１０の側面１３が、隔壁３５における挿入部１６に近い部分と当接するようになる。一方で、ボタン電池１０の第１主面１１の周端部では、プラス電極端子３１に近い部分がその上の壁部２０４と当接している。これにより、電池カバー２１が取り付けられていないケース本体２０をひっくり返したとしても、各ボタン電池１０がケース本体２０から外れて飛び出すことは無い。
【００５０】
＜電池カバーの詳細構造＞
次に電池カバー２１の構造について詳細に説明する。図１１は電池カバー２１の構造を示す平面図であって、図１２は図１１の矢視Ｂから見た際の電池カバー２１の構造を示す側面図である。図１１，１２に示されるように、横長の板状部分であるカバー本体２１０は、第１主面２２と、当該第１主面２２と反対側の第２主面２３とを有している。カバー本体２１０の第２主面２３には、電池カバー２１がケース本体２０に取り付けられた際に、ケース本体２０に収納された４つのボタン電池１０の第１主面１１をそれぞれ押圧する４つの押圧部２１２が設けられている。４つの押圧部２１２は、カバー本体２１０の第２主面２３における短手方向ＳＤの中央部において、カバー本体２１０の長手方向ＬＤに沿って配置されている。各押圧部２１２は、カバー本体２１０の第２主面２３から、それに垂直な方向に突出する４つの突起部２１３で構成されている。各押圧部２１２では４つの突起部２１３が円形に配置されている。
【００５１】
また、カバー本体２１０の第２主面２３には、ケース本体２０の背面に設けられた４つの取り付け用係合穴２０６にそれぞれ挿入される４つの係合爪２１１が設けられている。４つの係合爪２１１はカバー本体２１０の長手方向ＬＤに沿って配置されている。各係合爪２１１は、カバー本体２１０から短手方向ＳＤに沿って突出するように、カバー本体２１０の第２主面２３における短手方向ＳＤの一方の端部２１０ａから、カバー本体２１０の周縁を超えて、カバー本体２１０の外側に延びている。
【００５２】
さらに、カバー本体２１０の第２主面２３には、ケース本体２０内に設けられた４つの挿入部１６にそれぞれ挿入される４つの突起部２１４が設けられている。これらの突起部２１４は、カバー本体２１０の第２主面２３における短手方向ＳＤの他方の端部２１０ｂにおいて、カバー本体２１０の長手方向ＬＤに沿って配置されている。
【００５３】
電池カバー２１をケース本体２０に固定するためのロック部２２０は、カバー本体２１０に繋がった板状部分２２２と、当該板状部分２２２とＶ字形状を成す板状部分２２３とを有している。これらの板状部分２２２，２２３はＶ字ばね２２４を構成している。Ｖ字ばね２２４では、そのＶ字の山部分がカバー本体２１０の第２主面２３よりも外側に突出するように、Ｖ字方向の一端がカバー本体２１０の第２主面２３の端部２１０ｂに繋がり、かつＶ字方向の他端がカバー本体２１０の端部２１０ｂ側の周縁よりも外側に位置している。Ｖ字ばね２２４におけるＶ字方向の他端には、カバー本体２１０の短手方向ＳＤに沿って主面が配置されるように板状の操作片２２１が繋がっている。Ｖ字ばね２２４のＶ字方向の他端を含んでいる板状部分２２３の外側の主面には三つの突起部２２５が設けられている。これらの突起部２２５は、カバー本体２１０の長手方向ＬＤに沿って配置されており、ケース本体２０の内側面に設けられた第２のロック用係合穴２０５に挿入される。各突起部２２５の表面は、ロック部２２０が第１のロック用係合穴２０２に挿入される際に、第１のロック用係合穴２０２の周縁と当接する傾斜面２２６を有している。傾斜面２２６は、Ｖ字ばね２２４のＶ字の山部分と繋がっており、第１のロック用係合穴２０２に対するロック部２２０の挿入方向（進入方向）に対して傾斜している。
【００５４】
以上のような構造を有する電池カバー２１がケース本体２０に取り付けられる際には、まず、カバー本体２１０の第１主面２２が外側に向くようにして、電池カバー２１の４つの係合爪２１１が、ケース本体２０の背面に設けられた４つの取り付け用係合穴２０６にそれぞれ挿入される。そして、電池カバー２１におけるロック部２２０のＶ字ばね２２４が、そのＶ字の山部分から、ケース本体２０の背面に設けられた第１のロック用係合穴２０２に挿入される。このとき、Ｖ字ばね２２４に設けられた突起部２２５が第１のロック用係合穴２０２の周縁に当接する。そして、Ｖ字ばね２２４は、その突起部２２５に設けられた傾斜面２２６が、第１のロック用係合穴２０２の周縁に対して摺動することによって、そのＶ字の角度を小さくしながら、第１のロック用係合穴２０２に進入する。その後、突起部２２５が、第１のロック用係合穴２０２と連通する第２のロック用係合穴２０５に挿入されると、Ｖ字ばね２２４のＶ字の角度がもとの状態に戻る。このとき、ロック部２２０の操作片２２１は、第１のロック用係合穴２０２の周辺領域２０３上に位置するようになる。これにより、ロック部２２０が第１のロック用係合穴２０２から抜けなくなり、電池カバー２１がケース本体２０に固定される。
【００５５】
電池カバー２１がケース本体２０に取り付けられた状態では、電池カバー２１の押圧部２１２が、ボタン電池１０の第１主面１１をプリント基板３０側に押圧するため、ボタン電池１０と、それを下から支持するマイナス電極端子３２との接触を十分に確保することができる。
【００５６】
これに対して、電池カバー２１がケース本体２０から取り外される際には、まず、電池カバー２１のロック部２２０の操作片２２１が−Ｙ側に向かって押される。そうすると、Ｖ字ばね２４４のＶ字の角度が小さくなり、Ｖ字ばね２４４の突起部２２５が第２のロック用係合穴２０５から退出する。その結果、電池カバー２１のロックが解除される。操作片２２１が押された状態で、電池カバー２１に対して、取り付け用係合穴２０６と係合爪２１１との係合箇所を支点として電池カバー２１を回動させるような力が加えられると、ロック部２２０が第１のロック用係合穴２０２から退出する。その後、電池カバー２１の係合爪２１１をケース本体２０の取り付け用係合穴２０６から取り出すと、電池カバー２１がケース本体２０から取り外される。
【００５７】
＜ボタン電池の取り外し方法＞
次に、ボタン電池１０をケース本体２０から取り外す方法について説明する。本実施の形態に係る電子機器１では、電池カバー２１を使用して、複数のボタン電池１０をケース本体２０から同時に取り外すことが可能である。つまり、電池カバー２１は、ボタン電池１０をケース本体２０から取り外すための取り外し用治具として機能する。
【００５８】
図１３〜１７はケース本体２０からボタン電池１０が取り外される様子を順に示す図である。本実施の形態に係る電子機器１では、ケース本体２０に設けられた４つの挿入部１６には、カバー本体２１０の第２主面に設けられた４つの突起部２１４だけではなく、カバー本体２１０から突出する４つの係合爪２１１をそれぞれ挿入することができる。そして、これらの係合爪２１１を利用して、４つのボタン電池１０を同時に取り外すことができる。
【００５９】
まず、図１３に示されるように、ケース本体２０から電池カバー２１が取り外される。そして、図１４に示されるように、カバー本体２１０の第１主面２２がボタン電池１０側を向くようにして、カバー本体２１０に設けられた４つの係合爪２１１が、ケース本体２０に設けられた４つの挿入部１６に対してそれぞれほぼ垂直に挿入される。これにより、各係合爪２１１は、ボタン電池１０の側面１３とケース本体２０との間の隙間に挿入される。上述のように、挿入部１６の周縁を規定する隔壁３６の側面３６０は、挿入部１６の奥側に垂直面を有し、その垂直面から挿入部１６の入り口に向かうほど外側に広がるように湾曲しているため、電池カバー２１の係合爪２１１は挿入部１６に対して挿入し易くなっている。
【００６０】
次に、カバー本体２１０のロック部２２０側の端部（係合爪２１１に対して遠い側の端部）に対して、カバー本体２１０がその第２主面２３側に倒れるような力が加えられると、図１５に示されるように、係合爪２１１の先端部が、ボタン電池１０の第２主面１２の周端部１２ｂに当接するとともに、係合爪２１１におけるボタン電池１０とは反対側の主面が、隔壁３６の垂直面３６５と湾曲面３６２が成す角部に当接するようになる。そして、カバー本体２１０が第２主面２３側にさらに倒されると、垂直面３６５と湾曲面３６２が成す角部を支点として、てこの原理により、ボタン電池１０の周端部の一部が持ち上がるようになる。そうすると、図１６に示されるように、係合爪２１１によって持ち上げられたボタン電池１０の周端部の一部は、電池収納部１５から飛び出し、当該周端部の一部がカバー本体２１０の第１主面２２上に載るようになる。これにより、４つのボタン電池１０がケース本体２０から同時に取り外される。その後、ケース本体２０をひっくり返したりすることによって、図１７に示されるように、４つのボタン電池１０をケース本体２０から完全に取り出すことができる。
【００６１】
なお、本実施の形態に係る電子機器１では、挿入部１６のうち、湾曲面３６１〜３６３で囲まれた空間には作業員の指先を挿入することが可能となっている。作業員は、挿入部１６に挿入した指先を利用して、電池収納部１５内のボタン電池１０の周端部における挿入部１６に近い部分を持ち上げて、当該ボタン電池１０をケース本体２０から取り外すことができる。
【００６２】
以上のように、本実施の形態に係る電子機器１には、ケース本体２０から複数のボタン電池１０を取り外すための取り外し構造が設けられている。この取り外し構造においては、ケース本体２０からボタン電池１０を取り外すための取り外し用治具（電池カバー２１）が設けられている。取り外し用治具は、ケース本体２０と、それに収納される複数のボタン電池１０との間の隙間に挿入される部分（複数の係合爪２１１）を有し、当該部分を利用して、複数のボタン電池１０を同時にケース本体２０から取り外すことができる。したがって、取り外し用治具を使用することによって、ケース本体２０から複数のボタン電池１０を簡単かつすぐに取り外すことができる。よって、複数のボタン電池１０で動作する本電子機器１の電池交換を簡単かつすぐに行うことができる。
【００６３】
なお、本実施の形態では、複数のボタン電池１０を覆う電池カバー２１が、ケース本体２０からボタン電池１０を取り外すための取り外し用治具として機能していたが、言い換えれば、ケース本体２０からボタン電池１０を取り外すための取り外し用治具が電池カバーを兼用していたが、電池カバーとは別に専用の取り外し用治具を設けても良い。例えば、ボタン電池１０の取り外し用治具の形状を、本実施の形態に係る電池カバー２１と同様の形状とし、ケース本体２０に取り付ける電池カバーの形状を、本実施の形態に係る電池カバー２１とは異なる形状としても良い。本実施の形態のように、ボタン電池１０の取り外し用治具が電池カバーを兼用する場合には、電池カバーとは別に取り外し用治具を設ける必要が無いことから、電子機器１におけるボタン電池１０の取り外し構造を簡素化することができる。
【００６４】
また、本実施の形態では、ケース本体２０に収納された４つのボタン電池１０のすべてを同時にケース本体２０から取り外すことが可能な取り外し用治具を設けていたが、このような取り外し治具の代わりに、当該４つのボタン電池１０のうち、少なくとも二つのボタン電池１０を同時に取り外すことが可能な取り外し用治具を設けても良い。例えば、カバー本体２１０に係合爪２１１を二つだけ、あるいは三つだけ設けた電池カバー２１を採用しても良い。このような場合であっても、ボタン電池１０を一つずつ作業員の指先等で取り外す場合と比べて、ケース本体２０内の複数のボタン電池１０を簡単かつすぐに取り外すことができる。
【図面の簡単な説明】
【００６５】
【図１】本発明の実施の形態に係る電子機器を正面側から示す斜視図である。
【図２】本発明の実施の形態に係る電子機器を背面側から示す平面図である。
【図３】本発明の実施の形態に係る電子機器を背面側から示す平面図である。
【図４】本発明の実施の形態に係る電子機器を拡大して示す斜視図である。
【図５】本発明の実施の形態に係る電子機器を拡大して示す平面図である。
【図６】本発明の実施の形態に係る電子機器を拡大して示す断面図である。
【図７】本発明の実施の形態に係るマイナス電極端子の構造を示す斜視図である。
【図８】本発明の実施の形態に係るプラス電極端子の構造を示す斜視図である。
【図９】本発明の実施の形態に係るプラス電極端子をプリント基板に実装した様子を示す側面図である。
【図１０】ボタン電池を電池収納部に収納する様子を示す断面図である。
【図１１】本発明の実施の形態に係る電池カバーの構造を示す平面図である。
【図１２】本発明の実施の形態に係る電池カバーの構造を示す側面図である。
【図１３】ケース本体からボタン電池が取り外される様子を示す図である。
【図１４】ケース本体からボタン電池が取り外される様子を示す図である。
【図１５】ケース本体からボタン電池が取り外される様子を示す図である。
【図１６】ケース本体からボタン電池が取り外される様子を示す図である。
【図１７】ケース本体からボタン電池が取り外される様子を示す図である。
【符号の説明】
【００６６】
１  電子機器
１０  ボタン電池
１６  挿入部
２０  ケース本体
２１  電池カバー
２２１  係合爪
【図１】
2009259666.tif 000003
【図２】
2009259666.tif 000004
【図３】
2009259666.tif 000005
【図４】
2009259666.tif 000006
【図５】
2009259666.tif 000007
【図６】
2009259666.tif 000008
【図７】
2009259666.tif 000009
【図８】
2009259666.tif 000010
【図９】
2009259666.tif 000011
【図１０】
2009259666.tif 000012
【図１１】
2009259666.tif 000013
【図１２】
2009259666.tif 000014
【図１３】
2009259666.tif 000015
【図１４】
2009259666.tif 000016
【図１５】
2009259666.tif 000017
【図１６】
2009259666.tif 000018
【図１７】
2009259666.tif 000019